(57)【要約】      （修正有）【課題】水枕が枕の上に載置された際に、安定した載置状態で使用することができる水枕を提供する。【解決手段】枕の上に載置する水枕１において、水枕の裏面にバンド５，６を通して水枕１に係止するバンド係止部材７が間隔をおいて複数箇所に設けられ、バンド係止部材７にはバンド５，６を縦方向に通すバンド通し８と、バンド５，６を横方向に通すためのバンド通し９とが形成され、バンド５，６には、枕に回したバンドを留めるためのバンド留め具１１が設けられている。【選択図】図１
0003136887.tif 000002
【実用新案登録請求の範囲】
【請求項１】
枕の上に載置する水枕において、水枕の裏面にバンドを通して水枕に係止するバンド係止部材が間隔をおいて複数箇所に設けられ、バンド係止部材にはバンドを縦方向に通すバンド通しと、バンドを横方向に通すためのバンド通しとが形成され、バンドには、枕に回したバンドを留めるためのバンド留め具が設けられていることを特徴とする水枕。
【請求項２】
バンド係止部材の四隅が水枕に固定され、固定されていない四辺の隙間により縦方向のバンド通しと横方向のバンド通しとが形成されていることを特徴とする請求項１記載の水枕。
【請求項３】
バンド留め具が重ねて留める面テープからなることを特徴とする請求項１記載の水枕。
【考案の詳細な説明】
【技術分野】
【０００１】
本考案は、安定した状態で枕に載置して使用することができる水枕に関する。
【背景技術】
【０００２】
頭を冷やすため水枕が使用されるが、通常、水枕は枕の上に重ねて使用される場合が多い。水枕を枕の上に重ねた場合、枕と水枕の中央部が高くなっているので安定性が悪いため、あるいは頭を移動させた場合に内部の水が流動して水枕の形が変化するため、水枕がずれたり、枕からずり落ちたりすることがある。
【０００３】
そこで、水枕を安定した状態で載置して使用できるようにするため、特許文献１には、水枕を載置する、断熱性材料からなる水枕受け台の受け面の形状を、人体頭部を受けるのに適する湾曲状の形状に形成して、人体頭部を安定して保持できるようにした水枕受け台が開示されている。
【０００４】
また、特許文献２には、水枕の下に敷設する水枕用下敷きとして、矩形で且つ平板状に作られた、カバー内に封入される内袋をキルティング加工により長袋状に区画し、載置した水枕を係止して安定して載置するため、水枕を留め紐により締結して使用する水枕用下敷きが開示されている。
【特許文献１】実開昭５４−８２４９１号公報
【特許文献２】特開平０８−０７１１００号公報
【考案の開示】
【考案が解決しようとする課題】
【０００５】
前記特許文献１に記載の水枕受け台では、水枕のほかに、さらに使用する水枕の形状に合った水枕受け台を別途用意しておかなくてはならないという不便さがある。また、人体頭部を受け留めるのに適する湾曲状に形成されていても、頭部の大小、形状により受け留める状態が異なるため汎用性を欠き、そのため、頭部の大小、形状に適した水枕受け台を用意しなくてはならない。
【０００６】
また、前記特許文献２に記載の水枕用下敷きについても、水枕のほかに、さらに水枕用下敷きを別途用意しなくてはならない。また、水枕用下敷きに取り付けられた留め紐が水枕の上を通るために紐が頭部に当たり不快感がある。
【０００７】
そこで、本考案は、水枕が枕の上に載置された際に、安定した載置状態で使用することができる水枕を提供するものである。
【課題を解決するための手段】
【０００８】
本考案は、枕の上に載置する水枕において、水枕の裏面にバンドを通して水枕に係止するバンド係止部材が間隔をおいて複数箇所に設けられ、バンド係止部材にはバンドを縦方向に通すバンド通しと、バンドを横方向に通すためのバンド通しとが形成され、バンドには、枕に回したバンドを留めるためのバンド留め具が設けられていることを特徴とする。本考案で、バンドとは、枕に固定するための紐、ベルト、包帯などの長尺材をいう。
【０００９】
本考案で使用する水枕は、特に限定されるものではなく、水や氷水を入れた水枕、不凍液とともに、水を入れた球体とを密封し、冷却して使用する水枕などを利用することができる。
【００１０】
バンド係止部材は、縦方向にバンドを通すバンド通しと、横方向にバンドを通すバンド通しを別々に形成してバンドを水枕に係止してもよい。
【考案の効果】
【００１１】
本考案の水枕は、その裏面がバンドにより枕に固定されているため、安定した状態で載置されるので、使用中に枕からずり落ちることがない。
【００１２】
本考案の水枕は、使用後は冷凍庫の中等に常時保存し直ちに使用できるので、病院などの医療現場で手間が省けて作業も楽になって便利である。
【００１３】
また、本考案の水枕は、夏場に安眠用として利用できるだけでなく、また、常温でも球体がツボＷ接触してマッサージ効果があるので、四季を通して癒しの水枕として利用することができる。
【００１４】
本考案の水枕は、頭以外にも患部に固定して利用することもできる。
【００１５】
袋体に透明の材料を使用し、内側に子供の目を引くキャラクタや絵などを表示、あるいは球体をカラーボールにするなどしてカラフルにすることにより、子供が興味を持つようにしていやがらずに使用できるようにすることもできる。
【考案を実施するための最良の形態】
【００１６】
本考案の実施例について図面を参照しながら説明する。
【実施例１】
【００１７】
図１は本考案による水枕の裏面を示す図、図２は断面図である。
【００１８】
図１及び図２において、本実施例の水枕１は、可撓性を有するプラスチックあるいはゴム材料の袋体２に不凍水性液３と球体４とを密封したものである。袋体２は中が見えるように透明の材料を使用し、内側に子供の目を引くキャラクタや絵などを表示して子供がいやがらずに使用するようにしてもよい。また、袋体２を透明にし、球体４をカラーボールにして子供の興味を引くようにすることもできる。
【００１９】
水枕１の中には不凍水性液３と、この不凍水性液より高い氷点を有する不凍水性液または水を充填したプラスチック又はゴム製の球体４が密封きれている。
【００２０】
不凍水性液は、水に、例えば自動車用不凍液を添加して調製する。不凍液の添加により、−１０〜−１５℃の氷点を有する不凍水性液を調整することができる。不凍水性液は、水に、例えば無機塩類を添加しても調整することができる。
【００２１】
球体４の寸法は、例えば約２０−３０ｍｍである。球体内の空気は、球体内の水性液が凍結した場合でも圧縮されて体積膨張を緩和し球体４が破損するのを防止する。水枕１はフリーザーの中に冷蔵するのが好ましく、この際、球体中の不凍水性夜叉は水は凍結するが、水枕内に球体と一緒に密封された不凍水性液３は液体のままである。
【００２２】
本実施例に示す水枕１は、不凍水性液内に球体４が浮いているので、使用中に氷塊を入れた水枕のように音を発することはなく、また、球体４が凍結していても頸を刺激することもない。また、球体４がツボに接触してマッサージ効果が得られる。
【００２３】
また、水枕１は、不凍水位液の温度が上昇しても球体のプラスチック又はゴム製皮膜を通じて凍結した不凍水性夜叉は水に徐々に熟が伝導し、不凍水性夜叉は水の温度を緩慢に上昇きせるとともに、融解熱を吸収して完全に融解するまで一定の温度を持続する。このため水枕１は低温度で従来の水枕より長時間の使用ができる。
【００２４】
本考案の水枕１は、その裏面に縦方向及び横方向にバンド５，６を通して水枕１に係止するバンド係止部材７が設けられている。バンド係止部材７は、水枕１の長手方向に間隔をおいて複数箇所設けられ、本実施例では、間隔をおいて２箇所に設けられている。バンド係止部材７には、バンド５を縦方向に通すバンド通し８と、横方向に通すためのバンド通し９が形成されている。本実施例では、バンド係止部材７の四隅を水枕７に溶着などで固着することにより、固着されていない四辺の隙間により縦方向と横方向のバンド通し８，９が形成されている。
【００２５】
バンド通し８，９に通すバンド５，６は、バンド５，６を枕１０に巻いてバンド５，６の端を留めるためのバンド留め具が設けられている。バンド留めは公知の着脱自在のバンド留め具を用いることができ、本実施例では、バンドの端に面テープ１１を設け、面テープ１１を重ねることにより留めることができるようにしている。
【００２６】
図３（ａ）は本考案による水枕を枕に取り付ける前の分解斜視図、（ｂ）は水枕を枕に取り付けた状態を示す斜視図ある。
【００２７】
図３において、水枕１の裏面に設けられたバンド係止部材７の縦方向と横方向のバンド通し８，９にそれぞれバンド５，６を通す。次いで、水枕１を枕１０に重ね、バンド５，６を枕の下側に通してバンドの端の面テープ１１を重ねて留める。
【００２８】
水枕１は、枕１０にバンド５，６で固定されているため、使用中に枕１０からずり落ちることはなく、安定した状態で枕１０に載置される。
【図面の簡単な説明】
【００２９】
【図１】本考案による水枕の裏面を示す図である。
【図２】本考案による水枕の断面図である。
【図３】（ａ）は本考案による水枕を枕に取り付ける前の分解斜視図、（ｂ）は水枕を枕に取り付けた状態を示す斜視図ある。
【符号の説明】
【００３０】
１：水枕              ２：袋体
３：不凍水性液        ４：球体
５：バンド            ６：バンド
７：バンド係止部材    ８：バンド通し
９：バンド通し      １０：枕
１１：面テープ
【図１】
0003136887.tif 000003
【図２】
0003136887.tif 000004
【図３】
0003136887.tif 000005